【手続補正書】
【提出日】平成18年3月10日(2006.3.10)
【手続補正１】
【補正対象書類名】特許請求の範囲
【補正対象項目名】全文
【補正方法】変更
【補正の内容】
【特許請求の範囲】
【請求項１】
音響を吸収する多層のマットであって、
中央部、及び該中央部を囲む周辺部を備え、該周辺部には複数の開口が隣接し離間した関係で形成されている、基層と、
該基層に隣接して配置されると共に、前記基層の前記中央部が直接に接合されている、表層と、
前記基層の前記周辺部と前記表層との間に置かれると共に、前記開口の各々の端から端まで延びる各露出部を含む、吸音層と、
を備えるマット。
【請求項２】
前記複数の開口と前記マットの縁部との間にある周辺溝を更に備える、請求項１に記載のマット。
【請求項３】
前記吸音層は前記表層に接着して固定されている、請求項１に記載のマット。
【請求項４】
前記吸音層の前記露出部は前記基層を越えて前記各開口から外方に延びている、請求項１に記載のマット。
【請求項５】
前記基層の前記周辺部と前記表層との間の前記吸音層の一部分は、前記吸音層の前記露出部に対して圧縮されている、請求項１に記載のマット。
【請求項６】
前記吸音層は、発泡材料及び繊維材料からなるグループから選択された吸音材料で形成されている、請求項１に記載のマット。
【請求項７】
前記吸音材料は、連続気泡、ポリエーテルウレタンフォーム、ポリプロピレンフォーム、網状フォーム、天然繊維バット、合成繊維バット、ガラス繊維バット、不織カーペット、及び発泡ラテックスからなるグループから選択されている、請求項６に記載のマット。
【請求項８】
前記吸音層は、通気性及び耐水性の材料から形成されている、請求項１に記載のマット。
【請求項９】
前記吸音層及び前記表層の間に置かれた通気性、耐水性の層を含む、請求項１に記載のマット。
【請求項１０】
前記基層は、天然ゴム、ブタジェンポリマー、ブタジェンコポリマー、イソプレンポリマー、イソプレンコポリマー、ポリエチレン、エチレン酢酸ビニル、ポリプロピレン、ポリスチレン、熱可塑性ゴム、熱可塑性オレフィン、スチレンブタジェンブロックコポリマー、並びにそれらの混合物及びコポリマーから選択された成形用材料から形成されている、請求項１に記載のマット。
【請求項１１】
前記表層は、カーペット、ファブリック及び不織材料から選択された装飾材料から形成されている、請求項１に記載のマット。
【請求項１２】
前記基層の前記中央部は、該基層の該中央部に入る音を減衰させるように構成された複数の開口を備えている、請求項１に記載のマット。
【請求項１３】
音響を吸収する多層のマットであって、
中央部、及び該中央部を囲む周辺部を備え、該周辺部には複数の開口が隣接し離間した関係で形成されている、基層と、
該基層に隣接して配置された表層と、
前記基層の前記周辺部と前記表層との間に置かれると共に、前記開口の各々の端から端まで延びる各露出部を含む、吸音層であって、前記基層の前記周辺部と前記表層との間の前記吸音層の一部分は、前記吸音層の前記露出部に対して圧縮されている、吸音層と
を備えるマット。
【請求項１４】
前記基層の前記中央部は前記表層に直接に接合されている、請求項１３に記載のマット。
【請求項１５】
前記複数の開口と前記マットの縁部との間にある周辺溝を更に備える、請求項１３に記載のマット。
【請求項１６】
前記吸音層は前記表層に接着して固定されている、請求項１３に記載のマット。
【請求項１７】
前記吸音層の前記露出部は前記基層を越えて前記各開口から外方に延びている、請求項１３に記載のマット。
【請求項１８】
前記吸音層は、発泡材料及び繊維材料からなるグループから選択された吸音材料で形成されている、請求項１３に記載のマット。
【請求項１９】
前記吸音材料は、連続気泡、ポリエーテルウレタンフォーム、ポリプロピレンフォーム、網状フォーム、天然繊維バット、合成繊維バット、ガラス繊維バット、不織カーペット、及び発泡ラテックスからなるグループから選択されている、請求項１８に記載のマット。
【請求項２０】
前記吸音層は、通気性及び耐水性の材料から形成されている、請求項１３に記載のマット。
【請求項２１】
前記吸音層及び前記表層の間に置かれた通気性、耐水性の層を含む、請求項１３に記載のマット。
【請求項２２】
前記基層は、天然ゴム、ブタジェンポリマー、ブタジェンコポリマー、イソプレンポリマー、イソプレンコポリマー、ポリエチレン、エチレン酢酸ビニル、ポリプロピレン、ポリスチレン、熱可塑性ゴム、熱可塑性オレフィン、スチレンブタジェンブロックコポリマー、並びにそれらの混合物及びコポリマーから選択された成形用材料から形成されている、請求項１３に記載のマット。
【請求項２３】
前記表層は、カーペット、ファブリック及び不織材料から選択された装飾材料から形成されている、請求項１３に記載のマット。
【請求項２４】
前記基層の前記中央部は、該基層の該中央部に入る音を減衰させるように構成された複数の開口を備えている、請求項１３に記載のマット。
【請求項２５】
音響を吸収する多層のマットであって、
中央部、及び該中央部を囲む周辺部を備え、該周辺部には複数の開口が隣接し離間した関係で形成されている、基層と、
該基層に隣接して配置された表層と、
前記基層の前記周辺部と前記表層との間に置かれると共に、前記開口の各々の端から端まで延びる各露出部を含む、吸音層と、
前記吸音層及び前記表層の間に置かれた通気性、耐水性の層と
を備えるマット。
【請求項２６】
前記基層の前記中央部は前記表層に直接に接合されている、請求項２５に記載のマット。
【請求項２７】
前記複数の開口と前記マットの縁部との間にある周辺溝を更に備える、請求項２５に記載のマット。
【請求項２８】
前記吸音層は前記表層に接着して固定されている、請求項２５に記載のマット。
【請求項２９】
前記吸音層の前記露出部は前記基層を越えて前記各開口から外方に延びている、請求項２５に記載のマット。
【請求項３０】
前記基層の前記周辺部と前記表層との間の前記吸音層の一部分は、前記吸音層の前記露出部に対して圧縮されている、請求項２５に記載のマット。
【請求項３１】
前記吸音層は、発泡材料及び繊維材料からなるグループから選択された吸音材料で形成されている、請求項２５に記載のマット。
【請求項３２】
前記吸音材料は、連続気泡、ポリエーテルウレタンフォーム、ポリプロピレンフォーム、網状フォーム、天然繊維バット、合成繊維バット、ガラス繊維バット、不織カーペット、及び発泡ラテックスからなるグループから選択されている、請求項３１に記載のマット。
【請求項３３】
前記吸音層は、通気性及び耐水性の材料から形成されている、請求項２５に記載のマット。
【請求項３４】
前記基層は、天然ゴム、ブタジェンポリマー、ブタジェンコポリマー、イソプレンポリマー、イソプレンコポリマー、ポリエチレン、エチレン酢酸ビニル、ポリプロピレン、ポリスチレン、熱可塑性ゴム、熱可塑性オレフィン、スチレンブタジェンブロックコポリマー、並びにそれらの混合物及びコポリマーから選択された成形用材料から形成されている、請求項２５に記載のマット。
【請求項３５】
前記表層は、カーペット、ファブリック及び不織材料から選択された装飾材料から形成されている、請求項２５に記載のマット。
【請求項３６】
前記基層の前記中央部は、該基層の該中央部に入る音を減衰させるように構成された複数の開口を備えている、請求項２５に記載のマット。